(57)【特許請求の範囲】
【請求項１】
家具用留め金具を家具の壁部（２）に固定するための固定プレート（１）であって、壁部側で固定可能な取付けプレート下側部分（３）と、該取付けプレート下側部分（３）を覆う取付けプレート上側部分（４）とを有しており、該取付プレート上側部分（４）に家具用留め金具が固定されるようになっており、前記取付プレート上側部分（４）が固定ねじ（５）及び偏心体（６）を貫通案内させるための貫通部（７）を備えており、前記偏心体によって、取付けプレート上側部分（４）が、取付けられた状態で定置の取付けプレート下側部分（３）に対して長手方向に摺動可能になっている形式のものにおいて、
取付けプレート上側部分（４）の、固定面（９）の方を向いた側の、周囲を取り囲む縁部（１０）が、摺動方向（Ａ）で見た取付けプレート上側部分（４）の中央の領域において、取付けプレート下側部分（３）の、固定面（９）に位置する端面と同一の面に位置しており、取付けプレート上側部分（４）の、周囲を取り囲む縁部（１０）の外側領域（１０ａ）が、固定面（９）に対して僅かに後退しており、前記固定ねじ（５）が、取付プレート上側部分（４）上にも、また取付プレート下側部分（３）上にも、直接的に又は座金を介して間接的に載っていることを特徴とする、家具の留め金具を固定するための固定プレート。
【請求項２】
取付けプレート下側部分（３）に、固定ねじ（５）の貫通領域において、張出した保護縁部（１１）が設けられており、これらの保護縁部（１１）の端面（１２）が、取付けプレート上側部分（４）の、固定面（９）とは反対側の外面（１２）の高さに位置する、請求項１記載の固定プレート。
【請求項３】
固定ねじ（５）が、そのねじヘッドの下方に、ピン状の付設部を有しており、該付設部が、取付けプレート上側部分（４）の外面（１３）にねじヘッドが載置する場合にその都度、取付けプレート下側部分（３）上に載置する、請求項１記載の固定プレート。
【請求項４】
取付けプレート上側部分（４）と各固定ねじ（５）のねじヘッドとの間にそれぞれ、取付けプレート下側部分（３）と取付けプレート上側部分（４）の外面（１３）との間の間隔を補償する座金が配置されている、請求項１記載の固定プレート。
【発明の詳細な説明】
【０００１】
【発明の属する技術分野】
本発明は、家具用留め金具を、例えば家具用ヒンジのヒンジアームを家具の壁部に固定するための固定プレートであって、壁部側で固定可能な取付けプレート下側部分と、この取付けプレート下側部分を覆う取付けプレート上側部分とを有しており、該取付プレート上側部分に家具用留め金具、特に家具用ヒンジのヒンジアームが固定されるようになっており、前記取付プレート上側部分が固定ねじ及び偏心体を貫通案内させるための貫通部を備えており、前記偏心体によって、取付けプレート上側部分が、取付けられた状態で定置の取付けプレート下側部分に対して長手方向に摺動可能になっている形式のものに関する。
【０００２】
【従来の技術】
冒頭に述べた形式の固定プレートは、それ自体公知である。
【０００３】
この公知の構成では、取付けられた状態では取付けプレート上側部分が家具の壁部に定置に若しくは固定式に載置されていて、この場合、取付けプレート上側部分を偏心体の操作によって取付けプレート下側部分に対して相対的に摺動させることは、もはや不可能である。したがって、取付けプレート上側部分の摺動ひいては調整を可能にするために、ある程度緩めることが必要となる。しかし、固定を緩めることにより、摺動がコントロールできずに行われてしまう危険が生じ、これにより、調整は結局のところ、一般的に組立技術者の技能に依存することになる。
【０００４】
【発明が解決しようとする課題】
本発明の課題は、冒頭に述べた形式の固定プレートを改良して、一方では家具の壁部に対して取付けプレート上側部分が十分に固定され、他方ではこの取付けプレート上側部分の摺動が、取付けプレート上側部分が確実に固定されていても偏心体により可能であるようにすることである。
【０００５】
【課題を解決するための手段】
この課題を解決した本発明による構成では、取付けプレート上側部分の、固定面の方を向いた側の、周囲を取り囲む縁部が、摺動方向で見た取付けプレート上側部分の中央の領域において、取付けプレート下側部分の、固定面に位置する端面と同一の面に位置しており、取付けプレート上側部分の、周囲を取り囲む縁部の外側領域が、固定面に対して僅かに後退しており、前記固定ねじが、取付プレート上側部分上にも、また取付プレート下側部分上にも、直接的に又は座金を介して間接的に載っている。
【０００６】
【発明の効果】
この構造的に簡単な手段によって、取付けプレート上側部分の壁部への確実な固定が保証される一方で、取付けプレート上側部分の、取付けプレート下側部分に対する相対的な摺動を妨げるように働く摩擦力がさらに十分に小さく保たれて、これにより、取付けプレート上側部分の所望の摺動ひいては調整を行うことができる。
【０００７】
また、家具の壁部に対して取付けプレート上側部分が過剰に固く締められてしまうことを防ぐために、本発明の改良形によれば、取付けプレート下側部分には、固定ねじの貫通領域において、張出した保護縁部を設けることができ、この保護縁部の端面は、取付けプレート上側部分の、固定面とは反対側の外面の高さに位置している。
【０００８】
【発明の実施の形態】
次に、本発明の実施の形態を図面に基づき詳細に説明する。
【０００９】
図面中では、家具用ヒンジのヒンジアームを家具の壁部２に固定するための固定プレート全体を、符号１で示す。
【００１０】
固定プレート１は主に、壁部側で固定可能な取付けプレート下側部分３と、この取付けプレート下側部分３を覆う取付けプレート上側部分４と、固定ねじ５と、偏心体６とを有している。取付けプレート上側部分４には、長穴の形状の貫通部７が設けられており、取付けプレート下側部分３には、貫通孔８が設けられている。図面に概略的に示したように、これらの貫通部７と貫通孔８とを通って固定ねじ５が、貫通挿入されている。
【００１１】
偏心体６によって、取付けプレート下側部分３に対して相対的に取付けプレート上側部分４を摺動することが可能となり、取付けプレート下側部分３は、取付けられて固定された状態（図２の右半分）では、定置であるものとみなすことができる。
【００１２】
固定プレートの基本的な構造は、それ自体公知である。
【００１３】
図示の、本発明による新たな構成では、取付けプレート上側部分４の、固定面９に面した周囲を取り囲む縁部１０が、摺動方向Ａで見た中央の領域において、取付けプレート下側部分３の、固定面９に載置する端面と同一の面に位置しており、取付けプレート上側部分４の、周囲を取り囲む縁部の外側領域１０ａが、固定面に対して僅かに後退しており、このことは、特に図３、図４より明らかである。
【００１４】
上記の構成により、取付けプレート上側部分４の周囲を取り囲む縁部１０は、取付けられた状態では、全ての範囲にわたって固定面９上に載置されている訳ではなく、中央の領域でのみ載置されている。これにより、取付けプレート上側部分４の、定置であると見なすべき取付けプレート下側部分３に対する相対的な摺動性が保証される。この場合、最終的にヒンジアーム（図示せず）とさらに別の留め金具とを介して家具ドアが固定された取付けプレート上側部分４が、ドアの重量負荷によって取付けプレート下側部分３に対して意図せずに摺動してしまうという危険はない。
【００１５】
固定面９に対して取付けプレート上側部分４が過剰に固く締め付けられてしまうことを防ぐために、取付けプレート下側部分３が、固定ねじ５の貫通領域で、張出した保護縁部１１を有していると有利である。この保護縁部１１の端面１２は、取付けプレート上側部分４の、固定面９とは反対側の外面１３の高さに位置する。
【００１６】
この場合、択一的に、固定ねじ５は、ねじヘッドの下方にピン状の付設部を有していてもよく、この付設部は、ねじヘッドが取付けプレート上側部分４の外面１３に載置する際にその都度、取付けプレート下側部分３に載置される。
【００１７】
同様に、取付けプレート下側部分３と各固定ねじ５のねじヘッドとの間にそれぞれ、取付けプレート下側部分３と取付けプレート上側部分４の外面１３との間の間隔を補償するための座金を配置することもできる。
【図面の簡単な説明】
【図１】本発明による固定プレートの斜視的な分解図である。
【図２】図１の固定プレートの断面図である。左半分には固定プレートが固定される前の状態を、右半分には固定プレートが固定された後の状態を示す。
【図３】図２の左側に示した、固定プレートの外側の端部領域の拡大図である。
【図４】図２の右側に示した、固定プレートの外側の端部領域の拡大図である。
【符号の説明】
１  固定プレート、  ２  壁部、  ３  取付けプレート下側部分、  ４  取付けプレート上側部分、  ５  固定ねじ、  ６  偏心体、  ７  貫通部、  ８  貫通孔、  ９  固定面、  １０  縁部、  １０ａ  外側領域、  １１  保護縁部、１２  端面、  １３  外面、  A  摺動方向
【図１】
0004351417.tif 000002
【図２】
0004351417.tif 000003
【図３】
0004351417.tif 000004
【図４】
0004351417.tif 000005